(57)【要約】【課題】水密性が向上する水中照明ケースの防水構造を提供する。【解決手段】ケース蓋３の外周部３ａに、側面視で略Ｕ字状断面のＯリング嵌め込み溝３ｃが形成されるとともに、ケース本体２の前面開口２ａの奥側に、ケース蓋３の外周部３ａをＯリング８とともに嵌め込み可能な凹段部２ｃが形成され、前面開口２ａの手前側に、ケース蓋固定用リング４の雄ねじ部４ａをねじ込むための雌ねじ部２ｄが形成されて、ケース蓋固定用リング４の雄ねじ部４ａをケース本体２の雌ねじ部２ｄにねじ込むことで、ケース蓋３の外周部３ａを凹段部２ｃの底面２ｆに押さえ込んで固定すると同時に、この外周部３ａをねじ込み方向に撓ませてＯリング嵌め込み溝２ｃを狭めることで、Ｏリング８を外周方向に押し出しながら凹段部２ｃの外周面２ｇに圧接させるようにした。【選択図】図３
2008071651.tif 000002
【特許請求の範囲】
【請求項１】
内部に照明器具を収納したケース本体と、このケース本体の前面開口を水密に閉塞可能な透明合成樹脂製のケース蓋とを備え、少なくともケース蓋の部分が水中に臨まされて、照明器具でケース蓋を透して水中を照明する水中照明ケースの防水構造であって、
前記ケース蓋の外周部に、側面視で略Ｕ字状断面のＯリング嵌め込み溝が形成されるとともに、前記ケース本体の前面開口の奥側に、ケース蓋の外周部をＯリングとともに嵌め込み可能な凹段部が形成され、前面開口の手前側に、ケース蓋固定用リングの雄ねじ部をねじ込むための雌ねじ部が形成されて、ケース蓋固定用リングの雄ねじ部をケース本体の雌ねじ部にねじ込むことで、ケース蓋の外周部を凹段部の底面に押さえ込んで固定すると同時に、この外周部をねじ込み方向に撓ませてＯリング嵌め込み溝を狭めることで、Ｏリングを外周方向に押し出しながら凹段部の外周面に圧接させるようにしたことを特徴とする水中照明ケースの防水構造。
【請求項２】
前記ケース本体は、浴槽等の側壁の貫通穴に水密状態で貫通され、ケース蓋の部分が浴槽内の水中に臨まされて、照明器具であるＬＥＤによって、ケース蓋であるレンズを透して浴槽内の水中を照明することを特徴とする請求項１に記載の水中照明ケースの防水構造。
【発明の詳細な説明】
【技術分野】
【０００１】
本発明は、水中照明ケースの防水構造に関する。
【背景技術】
【０００２】
従来、ＬＥＤ（発光ダイオード）を内部に収納したケース本体（照明部本体）を浴槽の側壁の貫通穴に水密状態で貫通させるとともに、ケース本体の前面開口を水密に閉塞可能な透明合成樹脂製のケース蓋（拡散板）の部分を浴槽内の水中に臨ませて、ＬＥＤでケース蓋を透して浴槽内の水中を照明するようにしたものがある（特許文献１参照）。
【０００３】
特許文献１では、ケース蓋の雄ねじ部をケース本体の雌ねじ部にねじ込むことで、ケース蓋をケース本体に固定すると同時に、ケース蓋のＯリングをケース本体のフランジとの間に挟み込むことで、ケース本体の前面開口を水密に閉塞可能となっている。
【特許文献１】特開２００４−２６５６５３号公報
【発明の開示】
【発明が解決しようとする課題】
【０００４】
しかしながら、ケース蓋の雄ねじ部をケース本体の雌ねじ部にねじ込みながら、ケース蓋のＯリングをケース本体のフランジとの間に挟み込むことで、ケース本体の前面開口を水密に閉塞するものであるから、ケース蓋のねじ込みに伴ってＯリングにねじれ力が作用して、Ｏリングに歪みが生じやすいので、水密性（防水性）が悪いという問題があった。
【０００５】
本発明は、前記問題を解消するためになされたもので、水密性が向上する水中照明ケースの防水構造を提供することを目的とするものである。
【課題を解決するための手段】
【０００６】
前記課題を解決するために、本発明は、内部に照明器具を収納したケース本体と、このケース本体の前面開口を水密に閉塞可能な透明合成樹脂製のケース蓋とを備え、少なくともケース蓋の部分が水中に臨まされて、照明器具でケース蓋を透して水中を照明する水中照明ケースの防水構造であって、前記ケース蓋の外周部に、側面視で略Ｕ字状断面のＯリング嵌め込み溝が形成されるとともに、前記ケース本体の前面開口の奥側に、ケース蓋の外周部をＯリングとともに嵌め込み可能な凹段部が形成され、前面開口の手前側に、ケース蓋固定用リングの雄ねじ部をねじ込むための雌ねじ部が形成されて、ケース蓋固定用リングの雄ねじ部をケース本体の雌ねじ部にねじ込むことで、ケース蓋の外周部を凹段部の底面に押さえ込んで固定すると同時に、この外周部をねじ込み方向に撓ませてＯリング嵌め込み溝を狭めることで、Ｏリングを外周方向に押し出しながら凹段部の外周面に圧接させるようにしたことを特徴とする水中照明ケースの防水構造を提供するものである。
【０００７】
請求項２のように、前記ケース本体は、浴槽等の側壁の貫通穴に水密状態で貫通され、ケース蓋の部分が浴槽内の水中に臨まされて、照明器具であるＬＥＤによって、ケース蓋であるレンズを透して浴槽内の水中を照明する構成とすることができる。
【発明の効果】
【０００８】
本発明によれば、ケース蓋固定用リングの雄ねじ部をケース本体の雌ねじ部にねじ込むことで、ケース蓋の外周部を凹段部の底面に押さえ込んで固定することができる。同時に、ケース蓋固定用リングのねじ込みでケース蓋の外周部をねじ込み方向に撓ませてＯリング嵌め込み溝を狭めることで、Ｏリングを外周方向に押し出しながら凹段部の外周面に強く圧接させるから、背景技術のようなケース蓋のねじ込みに伴うねじれ力がＯリングに作用しなくなるので、Ｏリングに歪みが生じにくくなって、水密性（防水性）が向上するようになる。
【０００９】
請求項２によれば、ＬＥＤによってレンズを透して浴槽内の水中を照明することができる。
【発明を実施するための最良の形態】
【００１０】
以下、本発明を実施するための最良の形態について、図面を参照しながら詳細に説明する。
【００１１】
図１（ａ）は水中照明ケース１の分解斜視図、図１（ｂ）は水中照明ケース１の組み立て斜視図である。図２は水中照明ケース１を浴槽１０の側壁１０ａに取付けた断面図である。図３（ａ）（ｂ）は、それぞれ図２の要部拡大図である。
【００１２】
水中照明ケース１は、ケース本体２、ケース蓋３、ケース蓋固定用リング４、化粧カバー５、防水用パッキン６、ケース本体固定用リング７、Ｏリング８、ＬＥＤ（発光ダイオード）ブロック９で構成されている。
【００１３】
ケース本体２は、合成樹脂で円筒状に成形されて、前面開口２ａ側の前端にフランジ２ｂが形成されている。ケース本体２の前面開口２ａの奥側には、ケース蓋３の外周部３ａをＯリング８とともに嵌め込み可能な凹段部２ｃが形成され、前面開口２ａの手前側には、ケース蓋固定用リング４の雄ねじ部４ａをねじ込むための雌ねじ部２ｄが形成されている。
【００１４】
ケース本体２の内部には、ＬＥＤブロック（照明器具）９が収納されて、このＬＥＤブロック９は、リード線９ａから給電されることでＬＥＤが発光して、ケース蓋３を透して浴槽１０内の水中を照明するようになる。
【００１５】
ケース蓋３は、透明合成樹脂で有底円筒状に成形されて、ケース本体２の前面開口２ａを水密に閉塞するためのものである。このケース蓋３の前面部３ｂは拡散等のレンズとしての機能を果たすようになる。
【００１６】
ケース蓋３に外周部３ａには、側面視で略Ｕ字状断面のＯリング嵌め込み溝３ｃが形成され、このＯリング嵌め込み溝３ｃにＯリング８が嵌め込まれるようになる。
【００１７】
前記のような構成部品でなる水中照明ケース１は、以下のようにして組み付けることができる。
【００１８】
前面開口２ａからケース本体２の内部にＬＥＤブロック（照明器具）９を収納して、位置決め突起２ｅで位置決めした後、図３（ａ）のように、前面開口２ａからケース蓋３の外周部３ａをＯリング８とともに凹段部２ｃに嵌め込む。その後、ケース蓋固定用リング４の雄ねじ部４ａをケース本体２の雌ねじ部２ｄにねじ込むことで、図３（ｂ）のように、ケース蓋３の外周部３ａをケース本体２の凹段部２ｃの底面２ｆに押さえ込んで固定する。
【００１９】
同時に、ケース蓋固定用リング４をケース本体２にさらに強くねじ込むことで、ケース蓋固定用リング４でケース蓋３の外周部３ａがねじ込み方向（矢印ａ参照）に撓まされるようになる。
【００２０】
これにより、Ｏリング嵌め込み溝３ｃが狭められるので、Ｏリング８が外周方向（矢印ｂ参照）に押し出されて、凹段部２ｃの外周面２ｇに強く圧接されるようになる。
【００２１】
このようにして組み付けた水中照明ケース１は、以下のようにして浴槽１０の側壁１０ａに取付けることができる。
【００２２】
浴槽１０の側壁１０ａに予め形成された貫通穴１０ｂに防水用パッキン６を嵌め込み、防水用パッキン６の中心穴６ａに、フランジ２ｂを浴槽１０の内部に臨ませた状態でケース本体２を嵌め込み、浴槽１０の外部からケース本体２の雄ねじ部２ｈにケース本体固定用リング７の雌ねじ部７ａをねじ込むと、ケース本体２のフランジ２ｂとケース本体固定用リング７との間に防水用パッキン６を挟み込んだ状態で、浴槽１０の側壁１０ａに取付けられるようになる。その後、ケース本体２のフランジ２ｂに化粧カバー５を固定する。
【００２３】
前記のような水中照明ケース１の防水構造であれば、ケース蓋固定用リング４の雄ねじ部４ａをケース本体２の雌ねじ部２ｄにねじ込むことで、ケース蓋３の外周部３ａを凹段部２ｃの底面２ｆに押さえ込んで固定することができる。
【００２４】
同時に、ケース蓋固定用リング４のねじ込みでケース蓋３の外周部３ａをねじ込み方向に撓ませてＯリング嵌め込み溝３ｃを狭めることで、Ｏリング８を外周方向に押し出しながら凹段部２ｃの外周面２ｇに強く圧接させるから、背景技術のようなケース蓋のねじ込みに伴うねじれ力がＯリング８に作用しなくなるので、Ｏリング８に歪みが生じにくくなって、水密性（防水性）が向上するようになる。
【００２５】
前記実施形態では、照明器具としてＬＥＤブロック９を使用したが、それ以外の照明器具を使用することも可能である。
【００２６】
前記実施形態では、浴槽１０の側壁１０ａに水中照明ケース１を取付けて、少なくともケース蓋３の部分が水中に臨まされているものであったが、水中照明ケース１全体をプールや噴水等の水中に設置するタイプにも適用することができる。
【図面の簡単な説明】
【００２７】
【図１】本発明の実施形態に係る水中照明ケースであり、（ａ）は分解斜視図、（ｂ）は組み立て斜視図である。
【図２】図１の水中照明ケースを浴槽の側壁に取付けた断面図である。
【図３】（ａ）（ｂ）は、それぞれ図２の要部拡大図である。
【符号の説明】
【００２８】
１      水中照明ケース
２      ケース本体
２ａ    前面開口
２ｂ    フランジ
２ｃ    凹段部
２ｄ    雌ねじ部
２ｆ    底面
２ｇ    外周面
３      ケース蓋
３ａ    外周部
３ｃ    Ｏリング嵌め込み溝
４      ケース蓋固定用リング
４ａ    雄ねじ部
８      Ｏリング
９      ＬＥＤブロック（照明器具）
１０    浴槽
１０ａ  側壁
１０ｂ  貫通穴
【図１】
2008071651.tif 000003
【図２】
2008071651.tif 000004
【図３】
2008071651.tif 000005